(57)【特許請求の範囲】
【請求項１】
ＷｉＦｉアクセスポイント（ＡＰ）を制御する方法であって、
所定のカバレッジエリア内の動作中ＡＰに関する負荷情報を受信することと、
前記負荷情報に従って、前記所定のカバレッジエリアの現在の総容量を判定することであって、前記所定のカバレッジエリアの現在の総容量は、前記動作中ＡＰに関する前記負荷情報に対する統計処理を介して取得されることと、
判定結果に従って、前記所定のカバレッジエリア内のＡＰを制御することであって、前記判定結果に従って、前記所定のカバレッジエリア内の前記ＡＰを制御することは、前記現在の総容量が、総容量の上限より大きく、かつ、前記現在の総容量が上昇傾向にあると判定した場合、前記所定のカバレッジエリア内の１つの非動作中ＡＰを起動するよう制御し、前記現在の総容量が、前記総容量の下限より小さく、かつ、前記現在の総容量が非上昇傾向にあると判定した場合、前記所定のカバレッジエリア内の１つの動作中ＡＰを停止するよう制御することを含む、ことと
を含む、ＷｉＦｉＡＰを制御する方法。
【請求項２】
前記所定のカバレッジエリア内の１つの動作中ＡＰを停止するよう制御することは、前記所定のカバレッジエリア内の、容量下限より小さな容量を有する１つの動作中ＡＰを停止するよう制御することを含む、請求項１に記載の、ＷｉＦｉＡＰを制御する方法。
【請求項３】
前記所定のカバレッジエリア内の１つの非動作中ＡＰを起動するよう制御することは、起動指示メッセージを、制御装置に送信し、前記制御装置を介して、前記起動指示メッセージによって指定された前記非動作中ＡＰを起動するよう制御することを含む、請求項１に記載の、ＷｉＦｉＡＰを制御する方法。
【請求項４】
前記制御装置を介して、前記起動指示メッセージによって指定された前記非動作中ＡＰを起動するよう制御することは、前記制御装置を介して、起動信号を、前記起動指示メッセージによって指定された前記非動作中ＡＰに送信し、前記起動信号を介して、前記非動作中ＡＰ内のリレーを制御することによって、前記非動作中ＡＰを起動するよう制御すること、又は、前記制御装置を介して、リモートウェイクアップフレームを、前記起動指示メッセージによって指定された前記非動作中ＡＰに送信し、前記リモートウェイクアップフレームを介して、前記非動作中ＡＰを起動するよう制御すること、又は、前記制御装置のＺｉｇＢｅｅ通信モジュールを介して、ＺｉｇＢｅｅ信号を、前記起動指示メッセージによって指定された前記非動作中ＡＰのＺｉｇＢｅｅ通信モジュールに送信し、前記ＺｉｇＢｅｅ信号を介して、前記非動作中ＡＰを起動するよう制御することを含む、請求項３に記載の、ＷｉＦｉＡＰを制御する方法。
【請求項５】
前記所定のカバレッジエリア内の１つの動作中ＡＰを停止するよう制御することは、前記所定のカバレッジエリア内の１つの動作中ＡＰを、前記動作中ＡＰに停止指示メッセージを送信することによって、停止するよう制御することを含む、請求項１に記載の、ＷｉＦｉＡＰを制御する方法。
【請求項６】
前記動作中ＡＰは、プライマリ動作中ＡＰと、セカンダリ動作中ＡＰとを含み、前記所定のカバレッジエリア内の１つの非動作中ＡＰを起動するよう制御することは、起動指示メッセージを、前記プライマリ動作中ＡＰに送信し、前記プライマリ動作中ＡＰを介して、前記起動指示メッセージによって指定された前記非動作中ＡＰを起動するよう制御することを含む、請求項１に記載の、ＷｉＦｉＡＰを制御する方法。
【請求項７】
前記所定のカバレッジエリア内の１つの動作中ＡＰを停止するよう制御することは、前記所定のカバレッジエリア内の１つのセカンダリ動作中ＡＰを、前記セカンダリ動作中ＡＰに停止指示メッセージを送信することによって、停止するよう制御することを含む、請求項６に記載の、ＷｉＦｉＡＰを制御する方法。
【請求項８】
前記プライマリ動作中ＡＰを介して、前記起動指示メッセージによって指定された前記非動作中ＡＰを起動するよう制御することは、前記プライマリ動作中ＡＰ内の制御回路を介して、起動信号を、前記起動指示メッセージによって指定された前記非動作中ＡＰに送信し、前記非動作中ＡＰ内のリレーを制御することによって、前記非動作中ＡＰを起動するよう制御すること、又は、前記プライマリ動作中ＡＰ内のイーサネットローカルエリアネットワークスイッチング回路を介して、リモートウェイクアップフレームを、前記起動指示メッセージによって指定された前記非動作中ＡＰに送信し、前記リモートウェイクアップフレームを介して、前記非動作中ＡＰを起動するよう制御すること、又は、前記プライマリ動作中ＡＰ内のＺｉｇＢｅｅ通信モジュールを介して、ＺｉｇＢｅｅ信号を、前記起動指示メッセージによって指定された前記非動作中ＡＰのＺｉｇＢｅｅ通信モジュールに送信し、前記ＺｉｇＢｅｅ信号を介して、前記非動作中ＡＰを起動するよう制御することを含む、請求項６に記載の、ＷｉＦｉＡＰを制御する方法。
【請求項９】
前記所定のカバレッジエリア内のセカンダリ動作中ＡＰに関する負荷情報を受信することが、プライマリ動作中アクセスポイント（ＡＰ）によって行われ、
自身の負荷情報と、前記セカンダリ動作中ＡＰに関する前記負荷情報とに従って、前記所定のカバレッジエリアの現在の総容量を判定することが、前記プライマリ動作中ＡＰによって行われ、前記所定のカバレッジエリアの現在の総容量は、動作中ＡＰに関する前記負荷情報に対する統計処理を介して取得され、
判定結果に従って、前記所定のカバレッジエリア内のＡＰを制御することが、前記プライマリ動作中ＡＰによって行われ、
前記プライマリ動作中ＡＰによって、前記判定結果に従って、前記所定のカバレッジエリア内の前記ＡＰを制御することは、前記プライマリ動作中ＡＰによって、前記現在の総容量が、総容量の上限より大きく、かつ、前記現在の総容量が上昇傾向にあると判定した場合、前記所定のカバレッジエリア内の１つの非動作中ＡＰを起動するよう制御し、前記プライマリ動作中ＡＰによって、前記現在の総容量が、前記総容量の下限より小さく、かつ、前記現在の総容量が非上昇傾向にあると判定した場合、前記所定のカバレッジエリア内の１つのセカンダリ動作中ＡＰを停止するよう制御することを含む、
を含む、請求項１に記載の、ＷｉＦｉＡＰを制御する方法。
【請求項１０】
前記プライマリ動作中ＡＰによって、前記所定のカバレッジエリア内の１つのセカンダリ動作中ＡＰを停止するよう制御することは、前記プライマリ動作中ＡＰによって、前記所定のカバレッジエリア内の、容量下限より小さな容量を有する１つのセカンダリ動作中ＡＰを停止するよう制御することを含む、請求項９に記載の、ＷｉＦｉＡＰを制御する方法。
【請求項１１】
前記プライマリ動作中ＡＰによって、前記所定のカバレッジエリア内の１つの非動作中ＡＰを起動するよう制御することは、前記プライマリ動作中ＡＰによって、起動信号を、前記所定のカバレッジエリア内の１つの非動作中ＡＰに送信し、前記起動信号を介して、前記非動作中ＡＰ内のリレーを制御することによって、前記非動作中ＡＰを起動するよう制御すること、又は、前記プライマリ動作中ＡＰによって、リモートウェイクアップフレームを、前記所定のカバレッジエリア内の１つの非動作中ＡＰに送信し、前記リモートウェイクアップフレームを介して、前記非動作中ＡＰを起動するよう制御すること、又は、前記プライマリ動作中ＡＰによって、前記プライマリ動作中ＡＰのＺｉｇＢｅｅ通信モジュールを介して、ＺｉｇＢｅｅ信号を、前記所定のカバレッジエリア内の１つの非動作中ＡＰのＺｉｇＢｅｅ通信モジュールに送信し、前記ＺｉｇＢｅｅ信号を介して、前記非動作中ＡＰを起動するよう制御することを含む、請求項９に記載の、ＷｉＦｉＡＰを制御する方法。
【請求項１２】
前記プライマリ動作中ＡＰによって、前記所定のカバレッジエリア内の１つのセカンダリ動作中ＡＰを停止するよう制御することは、前記プライマリ動作中ＡＰによって、前記所定のカバレッジエリア内の１つのセカンダリ動作中ＡＰを、ワイヤレスフィデリティ（ＷｉＦｉ）プロトコルを介して前記セカンダリ動作中ＡＰに停止指示メッセージを送信することによって、停止するよう制御することを含む、請求項９に記載の、ＷｉＦｉＡＰを制御する方法。
【請求項１３】
ＷｉＦｉアクセスポイント（ＡＰ）を制御するためのネットワーク管理サーバであって、
所定のカバレッジエリア内の動作中アクセスポイント（ＡＰ）に関する負荷情報を受信するように構成された、受信モジュールと、
前記受信モジュールによって受信された前記負荷情報に従って、前記所定のカバレッジエリアの現在の総容量を判定するように構成された、判定モジュールであって、前記所定のカバレッジエリアの現在の総容量は、前記動作中ＡＰに関する前記負荷情報に対する統計処理を介して取得される、前記判定モジュールと、
前記判定モジュールの判定結果に従って、前記所定のカバレッジエリア内のＡＰを制御するように構成された、制御モジュールであって、
前記判定モジュールの前記判定結果が、前記現在の総容量が、前記総容量の前記上限より大きく、かつ、前記現在の総容量が上昇傾向にある場合、前記所定のカバレッジエリア内の１つの非動作中ＡＰを起動するよう制御するように構成された起動制御ユニットと、前記判定モジュールの前記判定結果が、前記現在の総容量が、前記総容量の前記下限より小さく、かつ、前記現在の総容量が非上昇傾向にある場合、前記所定のカバレッジエリア内の１つの動作中ＡＰを停止するよう制御するように構成された停止制御ユニットと、を含む、前記制御モジュールと
を備える、ネットワーク管理サーバ。
【請求項１４】
前記起動制御ユニットは、前記判定モジュールの前記判定結果が、前記現在の総容量が、前記総容量の前記上限より大きく、かつ、前記現在の総容量が前記上昇傾向にある場合、起動指示メッセージを、制御装置に送信し、前記制御装置を介して、前記起動指示メッセージによって指定された前記非動作中ＡＰを起動するよう制御するように特に構成され、前記停止制御ユニットは、前記判定モジュールの前記判定結果が、前記現在の総容量が、前記総容量の前記下限より小さく、かつ、前記現在の総容量が前記非上昇傾向にある場合、前記所定のカバレッジエリア内の１つの動作中ＡＰを、前記動作中ＡＰに停止指示メッセージを送信することによって、停止するよう制御するように特に構成される、請求項１３に記載のネットワーク管理サーバ。
【請求項１５】
前記動作中ＡＰは、プライマリ動作中ＡＰと、セカンダリ動作中ＡＰとを含み、前記受信モジュールは、前記所定のカバレッジエリア内の、前記プライマリ動作中ＡＰ及び前記セカンダリ動作中ＡＰに関する負荷情報を受信するように特に構成され、
前記起動制御ユニットは、前記判定モジュールの前記判定結果が、前記現在の総容量が、前記総容量の前記上限より大きく、かつ、前記現在の総容量が前記上昇傾向にある場合、起動指示メッセージを、プライマリ動作中ＡＰに送信し、前記プライマリ動作中ＡＰを介して、前記起動指示メッセージによって指定された前記非動作中ＡＰを起動するよう制御するように特に構成され、
前記停止制御ユニットは、前記判定モジュールの前記判定結果が、前記現在の総容量が、前記総容量の前記下限より小さく、かつ、前記現在の総容量が前記非上昇傾向にある場合、前記所定のカバレッジエリア内の１つのセカンダリ動作中ＡＰを、前記プライマリ動作中ＡＰを介して前記セカンダリ動作中ＡＰに停止指示メッセージを送信することによって、停止するよう制御するように特に構成される、
請求項１３に記載のネットワーク管理サーバ。
【請求項１６】
プライマリ動作中ＷｉＦｉアクセスポイント（ＡＰ）であって、
所定のカバレッジエリア内のセカンダリ動作中アクセスポイント（ＡＰ）に関する負荷情報を受信するように構成された、受信モジュールと、
プライマリ動作中ＡＰに関する負荷情報と、前記受信モジュールによって受信された、前記セカンダリ動作中ＡＰに関する前記負荷情報とに従って、前記所定のカバレッジエリアの現在の総容量を判定するように構成された、判定モジュールであって、前記所定のカバレッジエリアの現在の総容量は、動作中ＡＰに関する前記負荷情報に対する統計処理を介して取得される、前記判定モジュールと、
前記判定モジュールの判定結果に従って、前記所定のカバレッジエリアのＡＰを制御するように構成された、制御モジュールであって、前記判定モジュールの前記判定結果が、前記現在の総容量が、前記総容量の前記上限より大きく、かつ、前記現在の総容量が上昇傾向にある場合、前記所定のカバレッジエリア内の１つの非動作中ＡＰを起動するよう制御するように構成された起動制御ユニットと、前記判定モジュールの前記判定結果が、前記現在の総容量が、前記総容量の前記下限より小さく、かつ、前記現在の総容量が非上昇傾向にある場合、前記所定のカバレッジエリア内の１つのセカンダリ動作中ＡＰを停止するよう制御するように構成された停止制御ユニットとを含む、前記制御ユニットと
を備える、プライマリ動作中ＡＰ。
【請求項１７】
ＷｉＦｉアクセスポイント（ＡＰ）を制御するシステムであって、
所定のカバレッジエリア内の１つ以上の動作中ＡＰに関する負荷情報を受信し、前記負荷情報に従って、前記所定のカバレッジエリアの現在の総容量を判定し、ここで、前記所定のカバレッジエリアの現在の総容量は、動作中ＡＰに関する前記負荷情報に対する統計処理を介して取得され、判定結果に従って、１つ以上の動作中ＡＰに停止指示メッセージを送信するか、又は１つ以上の非動作中ＡＰに起動指示メッセージを送信するように構成され、ここで、前記現在の総容量が、総容量の上限より大きく、かつ、前記現在の総容量が上昇傾向にあると判定した場合、前記所定のカバレッジエリア内の１つの非動作中ＡＰを起動するよう制御し、前記現在の総容量が、前記総容量の下限より小さく、かつ、前記現在の総容量が非上昇傾向にあると判定した場合、前記所定のカバレッジエリア内の１つの動作中ＡＰを停止する、ネットワーク管理サーバと、
前記負荷情報を送信し、前記停止指示メッセージに従って、停止されるように構成された、前記１つ以上の動作中ＡＰと、
前記起動指示メッセージに従って、起動されるように構成された、１つ以上の非動作中ＡＰと
を備える、ＷｉＦｉＡＰを制御するシステム。
【請求項１８】
前記ネットワーク管理サーバによって送信された前記起動指示メッセージを受信し、前記起動指示メッセージに従って、前記起動指示メッセージによって指定された前記非動作中ＡＰを起動するよう制御するように構成された、制御装置
を更に備える、請求項１７に記載の、ＷｉＦｉＡＰを制御するシステム。
【請求項１９】
前記制御装置は、起動信号、リモートウェイクアップフレーム、又はＺｉｇＢｅｅ信号を、前記起動指示メッセージによって指定された前記非動作中ＡＰに送信することによって、前記非動作中ＡＰを起動するよう制御する、請求項１７に記載の、ＷｉＦｉＡＰを制御するシステム。
【請求項２０】
ＷｉＦｉアクセスポイント（ＡＰ）を制御するシステムであって、
所定のカバレッジエリア内のセカンダリ動作中ＡＰに関する第１の負荷情報を受信し、前記第１の負荷情報と、自身の負荷情報とに従って、前記所定のカバレッジエリアの現在の総容量を判定し、ここで、前記所定のカバレッジエリアの現在の総容量は、動作中ＡＰに関する負荷情報に対する統計処理を介して取得され、判定結果に従って、前記所定のカバレッジエリア内のＡＰを制御するように構成され、ここで、前記現在の総容量が、総容量の上限より大きく、かつ、前記現在の総容量が上昇傾向にあると判定した場合、前記所定のカバレッジエリア内の１つの非動作中ＡＰを起動するよう制御し、前記現在の総容量が、前記総容量の下限より小さく、かつ、前記現在の総容量が非上昇傾向にあると判定した場合、前記所定のカバレッジエリア内の１つの動作中ＡＰを停止する、プライマリ動作中ＡＰと、
前記第１の負荷情報を、前記プライマリ動作中ＡＰに送信し、前記プライマリ動作中ＡＰの制御下で停止されるように構成された、前記セカンダリ動作中ＡＰのうちの１つ以上と、
前記プライマリ動作中ＡＰの制御下で起動されるように構成された、１つ以上の非動作中ＡＰと
を備える、ＷｉＦｉＡＰを制御するシステム。
【請求項２１】
前記プライマリ動作中ＡＰは、起動信号、リモートウェイクアップフレーム、又はＺｉｇＢｅｅ信号を、前記非動作中ＡＰに送信することによって、前記非動作中ＡＰを起動するよう制御する、請求項２０に記載の、ＷｉＦｉＡＰを制御するシステム。
【請求項２２】
前記プライマリ動作中ＡＰは、前記所定のカバレッジエリア内の前記セカンダリ動作中ＡＰのうちの１つを、ワイヤレスフィデリティ（ＷｉＦｉ）プロトコルを介して前記セカンダリ動作中ＡＰに停止指示メッセージを送信することによって、停止するよう制御する、請求項２１に記載の、ＷｉＦｉＡＰを制御するシステム。
【発明の詳細な説明】
【技術分野】
【０００１】
本発明は、通信技術に関し、特に、アクセスポイント（ＡＰ）を制御する方法、装置、及びシステムに関する。
【背景技術】
【０００２】
無線ネットワーク技術の急速な発展に伴い、短距離無線通信技術としての、ワイヤレスフィデリティ（ＷｉＦｉ）技術が、高い伝送速度及び長い有効距離などの、その利点に基づいて、ユーザによって広く好まれている。無線ネットワークと有線ネットワークとを接続するブリッジとしての、ＡＰは、無線ネットワークの核であり、その主な機能は、無線ネットワーククライアントを共に接続し、次に、無線ネットワークを、有線ネットワーク（例えば、イーサネット（登録商標））に接続することである。現在、ＡＰは、ユーザにとっての無線インターネットアクセスのための主要なアプローチの１つとなっており、そして、ＡＰは、空港ラウンジ及びカフェなどの、多くの公共の場所に配置されている。
【発明の概要】
【発明が解決しようとする課題】
【０００３】
現在、ＡＰを使用した無線インターネットアクセスの帯域幅は、最大５４Ｍｂｐｓが可能である。ＡＰのカバレッジは、通常、１００メートルであり、この範囲には、何千人もの人々、そして更には１万人もの人々を収容することが可能である。しかし、１０００ユーザが１つのＡＰを介して同時にインターネットにアクセスした場合、各ユーザに割り当てられる帯域幅はわずか５４Ｋｂｐｓである。結果として、ユーザによるインターネットへのアクセスは非常に低速であり、マルチメディアサービスを享受することもできない。一方、同一カバレッジエリア内のユーザの数が比較的小さく、かつ、そのエリアをカバーする複数のＡＰが同時に動作している場合、余分なＡＰが不必要な電力消費を不可避的に発生させる。従って、実際の状況に応じてＡＰに対する制御を実施することが必要とされる。サービストラフィックが比較的大きい場合、各ユーザに十分な帯域幅を提供するために、他のＡＰを起動することが必要とされ、サービストラフィックが比較的小さい場合、余分なＡＰによって発生する不必要な電力消費を節約するために、特定のＡＰ、又はいくつかのＡＰを停止することが必要とされる。従来技術では、ＡＰは、手動で起動又は停止されるよう制御され、これにより、同一カバレッジエリア内のＡＰが制御されることが可能である。しかし、そのような手法では、ユーザの数、及びＡＰの動作状況に関するリアルタイム統計を手動で作成する必要があり、ＡＰは自動的に起動又は停止されるよう制御されることができず、結果として、労働コストが上昇し、作業効率に悪影響が及ぼされる。
【課題を解決するための手段】
【０００４】
本発明の実施形態は、サービストラフィックに従って、同一カバレッジエリア内のＡＰを起動又は停止するよう自動的に制御し、リソースを合理的に利用し、同時に労働コストを削減し、作業効率を向上させるための、ＡＰを制御する方法、装置、及びシステムを提供することに関する。
【０００５】
前述の目的を達成するために、本発明の一実施形態は、
カバレッジエリア内の動作中ＡＰに関する負荷情報を受信し、
負荷情報に従って、カバレッジエリアの現在の総容量を判定し、
判定結果に従って、カバレッジエリア内のＡＰを制御すること
を含む、ＡＰを制御する方法を提供する。
【０００６】
本発明の一実施形態は、
プライマリ動作中ＡＰによって、カバレッジエリア内のセカンダリ動作中ＡＰに関する負荷情報を受信し、
プライマリ動作中ＡＰによって、自身の負荷情報と、セカンダリ動作中ＡＰに関する負荷情報とに従って、カバレッジエリアの現在の総容量を判定し、
プライマリ動作中ＡＰによって、判定結果に従って、カバレッジエリア内のＡＰを制御すること
を含む、ＡＰを制御する別の方法を提供する。
【０００７】
本発明の一実施形態は、
カバレッジエリア内の動作中ＡＰに関する負荷情報を受信するように構成された、第１の受信モジュールと、
第１の受信モジュールによって受信された負荷情報に従って、カバレッジエリアの現在の総容量を判定するように構成された、第１の判定モジュールと、
第１の判定モジュールの判定結果に従って、カバレッジエリア内のＡＰを制御するように構成された、第１の制御モジュールと
を含む、ネットワーク管理サーバを提供する。
【０００８】
本発明の一実施形態は、
カバレッジエリア内のセカンダリ動作中ＡＰに関する負荷情報を受信するように構成された、第２の受信モジュールと、
プライマリ動作中ＡＰに関する負荷情報と、第２の受信モジュールによって受信された、セカンダリ動作中ＡＰに関する負荷情報とに従って、カバレッジエリアの現在の総容量を判定するように構成された、第２の判定モジュールと、
第２の判定モジュールの判定結果に従って、カバレッジエリアのＡＰを制御するように構成された、第２の制御モジュールと
を含む、プライマリ動作中ＡＰを更に提供する。
【０００９】
本発明の一実施形態は、
カバレッジエリア内の１つ以上の動作中ＡＰに関する負荷情報を受信し、負荷情報に従って、カバレッジエリアの現在の総容量を判定し、判定結果に従って、停止指示メッセージ、又は起動指示メッセージを送信するように構成された、ネットワーク管理サーバと、
負荷情報を送信し、停止指示メッセージに従って、停止されるように構成された、１つ以上の動作中ＡＰと、
起動指示メッセージに従って、起動されるように構成された、１つ以上の非動作中ＡＰと
を含む、ＡＰを制御するシステムを提供する。
【００１０】
本発明の一実施形態は、
カバレッジエリア内のセカンダリ動作中ＡＰに関する第１の負荷情報を受信し、第１の負荷情報と、自身の負荷情報とに従って、カバレッジエリアの現在の総容量を判定し、判定結果に従って、カバレッジエリア内のＡＰを制御するように構成された、プライマリ動作中ＡＰと、
第１の負荷情報を、プライマリ動作中ＡＰに送信し、プライマリ動作中ＡＰの制御下で停止されるように構成された、セカンダリ動作中ＡＰのうちの１つ以上と、
プライマリ動作中ＡＰの制御下で起動されるように構成された、１つ以上の非動作中ＡＰと
を含む、ＡＰを制御する別のシステムを提供する。
【発明の効果】
【００１１】
本発明の実施形態によって提供される、ＡＰを制御する方法、装置、及びシステムによれば、ネットワーク管理サーバが、同一カバレッジエリア内の動作中ＡＰに関する負荷情報を受信し、負荷情報に従って、現在の容量を判定し、現在の容量が、予め設定された容量上限より大きい場合、カバレッジエリア内の非動作中ＡＰを起動するよう制御し、現在の容量が、予め設定された容量下限より小さい場合、特定の動作中ＡＰを、その動作中ＡＰに停止指示メッセージを送信することによって、停止するよう制御し、これにより、サービストラフィックに従って、同一カバレッジエリア内のＡＰが起動又は停止されるよう自動的に制御され、リソースが合理的に利用され、同時に労働コストが削減され、作業効率が向上する。
【図面の簡単な説明】
【００１２】
【図１】本発明による、ＡＰを制御する方法の実施形態のフローチャートである。
【図２】本発明による、ＡＰを制御する方法の別の実施形態のフローチャートである。
【図３】本発明による、ＡＰを制御する方法の別の実施形態のフローチャートである。
【図４】本発明による、ＡＰを制御する方法の別の実施形態のフローチャートである。
【図５】本発明による、ネットワーク管理サーバの実施形態の概略構成図である。
【図６】本発明による、プライマリ動作中ＡＰの実施形態の概略構成図である。
【図７】本発明による、ローカルエリアネットワークスイッチの実施形態の概略構成図である。
【図８】本発明による、ローカルエリアネットワークスイッチの実施形態内の、制御装置の概略構成図である。
【図９】本発明による、ローカルエリアネットワークスイッチの実施形態内の、制御装置の実施形態における、接続モードの概略図である。
【図１０】本発明による、ＡＰを制御するシステムの実施形態の概略構成図である。
【図１１】本発明による、ＡＰを制御するシステムの別の実施形態の概略構成図である。
【発明を実施するための形態】
【００１３】
本発明の技術的解決法について、添付の図面及び実施形態を参照して、以下に更に詳細に説明する。
【００１４】
図１は、本発明による、ＡＰを制御する方法の一実施形態のフローチャートである。図１に示すように、この実施形態は、ネットワーク管理サーバ側からＡＰを制御する方法を説明するものであり、この実施形態によって提供される、ＡＰを制御する方法は、以下のステップを含む。
【００１５】
ステップ１０１：ネットワーク管理サーバは、カバレッジエリア内の動作中ＡＰに関する負荷情報を受信する。
【００１６】
この実施形態では、ネットワーク管理サーバが、同一カバレッジエリア内のＡＰを制御するために追加され、ネットワーク管理サーバは、カバレッジエリア内の１つ以上の動作中ＡＰに関する負荷情報を受信する。複数のＡＰが同一カバレッジエリア内に存在してもよく、ここで、いくつかのＡＰは動作中状態にあり、いくつかのＡＰはアイドル状態にある。アイドル状態は、停止状態であってもよく、又は、低消費電力の、かつ遠隔的に起動されることが可能な、休眠状態であってもよい。この実施形態では、動作中状態にあるＡＰは、動作中ＡＰと呼ばれ、アイドル状態のＡＰは、非動作中ＡＰと呼ばれる。動作中ＡＰは、更に、プライマリ動作中ＡＰと、セカンダリ動作中ＡＰとに分類されてもよい。この実施形態は、ＡＰがプライマリＡＰとセカンダリＡＰとに分類される状況、及び、ＡＰがプライマリＡＰとセカンダリＡＰとに分類されない状況に適用可能である。負荷情報は、動作中ＡＰのユーザ数及び帯域幅に関する情報であってもよく、例えば、ネットワーク管理サーバによって受信される負荷情報は、＜サポートされる最大のユーザ数、現在のユーザ数＞、又は、＜利用可能な最大の帯域幅、割り当てられた帯域幅＞、又は、＜アソシエーション障害＞情報、又は、上記の情報の任意の組み合わせであってもよい。
【００１７】
ステップ１０２：ネットワーク管理サーバは、負荷情報に従って、カバレッジエリアの現在の総容量を判定する。
【００１８】
ネットワーク管理サーバは、受信された、動作中ＡＰに関する負荷情報に従って、カバレッジエリアの現在の総容量を判定し、判定結果に従って、動作中ＡＰ及び非動作中ＡＰの、作動状態又は停止状態を制御する。カバレッジエリアの現在の総容量は、動作中ＡＰに関する負荷情報に従って取得されてもよく、受信された、動作中ＡＰに関する負荷情報が、＜サポートされる最大のユーザ数、現在のユーザ数＞である場合、負荷情報に対する統計処理を介して、カバレッジエリアの現在の総容量は、＜現在のユーザ数／サポートされる最大のユーザ数＞であってもよく（ここで、現在のユーザ数、及びサポートされる最大のユーザ数は、それぞれ、カバレッジエリア内の動作中ＡＰの、アクセスユーザ数の合計、及びサポートされるユーザ数であり）、又は、＜割り当てられた帯域幅／利用可能な最大の帯域幅＞、又は不十分な帯域幅により引き起こされる正規アソシエーション障害イベント（ｌｅｇａｌ  ａｓｓｏｃｉａｔｉｏｎ  ｆａｉｌｕｒｅ  ｅｖｅｎｔｓ）であってもよい。カバレッジエリア内の動作中ＡＰの、サポートされる最大のユーザ数が１０であり、現在のユーザ数が９である場合、カバレッジエリアの現在の総容量は０．９である。
【００１９】
ステップ１０３：ネットワーク管理サーバは、判定結果に従って、カバレッジエリア内のＡＰを制御する。
【００２０】
ネットワーク管理サーバは、カバレッジエリアの現在の総容量に関する判定結果に従って、カバレッジエリア内のＡＰを制御する。具体的には、ネットワーク管理サーバは、非動作中ＡＰを起動するよう制御するために、起動指示メッセージを、非動作中ＡＰに送信してもよく、そして、非動作中ＡＰは、起動された後、起動応答を、ネットワーク管理サーバに返し、起動指示が正常に実行されたことを、ネットワーク管理サーバに通知する。同様に、ネットワーク管理サーバは、動作中ＡＰを停止するよう制御するために、停止指示メッセージを、動作中ＡＰに送信してもよく、そして、動作中ＡＰは、動作中ＡＰ上のユーザを、他の動作中ＡＰに移行させ、自動的に停止され、停止応答を、ネットワーク管理サーバに返し、停止指示が正常に実行されたことを、ネットワーク管理サーバに通知する。起動指示メッセージは、非動作中ＡＰに関する装置識別情報、あるいは、ＭＡＣアドレス又はＩＰアドレスなどの、ＡＰを識別することが可能な情報を運び、停止指示メッセージは、動作中ＡＰに関する装置識別情報、あるいは、ＭＡＣアドレス又はＩＰアドレスなどの情報を運ぶ。ＡＰは、ＡＰに関する装置識別情報、あるいは、ＭＡＣアドレス又はＩＰアドレスなどの情報に従って、起動又は停止されるよう制御される。
【００２１】
この実施形態は、ネットワーク管理サーバが、同一カバレッジエリア内の動作中ＡＰに関する負荷情報を受信し、負荷情報に従って、現在の容量を判定し、判定結果に従って、ＡＰを起動又は停止するよう制御する、ＡＰを制御する方法を提供し、これにより、サービストラフィックに従って、同一カバレッジエリア内のＡＰが起動又は停止されるよう自動的に制御され、リソースが合理的に利用され、同時に労働コストが削減され、作業効率が向上する。
【００２２】
図２は、本発明による、ＡＰを制御する方法の別の実施形態のフローチャートである。図２に示すように、この実施形態は、ＡＰを制御する方法を提供し、上記の実施形態に基づいて、独立した制御装置を介して、ＡＰに対する制御を実施し、これは以下のステップを特に含む。
【００２３】
ステップ２０１：ネットワーク管理サーバは、カバレッジエリア内の動作中ＡＰに関する負荷情報を受信する。
【００２４】
ネットワーク管理サーバは、カバレッジエリア内の１つ以上の動作中ＡＰに関する負荷情報を受信する。負荷情報は、動作中ＡＰを介して、周期的に、ネットワーク管理サーバに報告されてもよい。すなわち、動作中ＡＰは、それらの負荷情報を、周期的に、あるいは、データが変化した、又はイベントが発生した場合に、ネットワーク管理サーバに報告してもよい。あるいは、負荷情報は、ネットワーク管理サーバを介して、ポーリングメッセージを、動作中ＡＰに送信することによって取得されてもよい。すなわち、ネットワーク管理サーバは、能動的に、ポーリングメッセージを、動作中ＡＰに送信し、ポーリングメッセージを介して、動作中ＡＰに関する負荷情報を取得してもよい。
【００２５】
ステップ２０２：ネットワーク管理サーバは、負荷情報に従って、カバレッジエリアの現在の総容量が、総容量の上限より大きいかどうか、及び、現在の総容量が上昇傾向にあるかどうかを判定し、カバレッジエリアの現在の総容量が、総容量の上限より大きく、かつ、現在の総容量が上昇傾向にある場合、ステップ２０３が実行され、カバレッジエリアの現在の総容量が、総容量の上限より大きくなく、かつ、現在の総容量が上昇傾向にない場合、ステップ２０４が実行される。
【００２６】
ネットワーク管理サーバは、カバレッジエリアの現在の総容量に関する判定結果に従って、ＡＰを制御し、現在の総容量が、総容量の上限より大きいと判定した場合、カバレッジエリア内の１つの非動作中ＡＰを起動するよう制御し、現在の総容量が、総容量の下限より小さいと判定した場合、カバレッジエリア内の１つの動作中ＡＰを停止するよう制御する。総容量の上限と、総容量の下限とは、実際の状況に応じて予め設定されてもよい。パーセントが単位として採用される場合、上記の実施形態で紹介された、現在の総容量を計算する方法に基づいて、総容量の上限は、８０％に設定されてもよく、総容量の下限は、３０％に設定されてもよい。
【００２７】
更に、ネットワーク管理サーバが、判定結果に従ってＡＰを制御する場合、カバレッジエリアの現在の総容量と、予め設定された、総容量の上限及び下限との間の関係に加えて、現在の総容量の変化傾向も考慮に入れられる。カバレッジエリアの現在の総容量が、総容量の上限より大きく、かつ、現在の総容量が上昇傾向にあると判定された場合、これは、カバレッジエリアの負荷が徐々に増加しており、かつ、カバレッジエリア内のサービストラフィックが比較的大きいことを示している。現在の総容量は、この場合、カバレッジエリアの負荷数、すなわち、現在カバレッジエリアにアクセスしているユーザの数であってもよい。現在の総容量の傾向が判定される場合、一定期間内の、カバレッジエリアにアクセスしているユーザの数が監視されてもよい。その期間が１分に設定されたと仮定すると、カバレッジエリアにアクセスしているユーザの数が、１分おきに監視される。最初に監視されたユーザの数が４０であり、２回目は６０であり、３回目は８０であると仮定すると、カバレッジエリアの現在の総容量が上昇傾向にあることは明らかである。あるいは、現在の総容量が、総容量の上限を超過したことが見い出された場合、記憶された履歴データに戻って、総容量の傾向を判定することによって、最後のいくつかの期間にわたる総容量が調べられる。判定方法については、上記と同じであり、ここでは詳細に説明しない。ユーザの帯域幅要求を保証するために、同一カバレッジエリア内の、アイドル状態にある非動作中ＡＰを、サービストラフィックを共有するよう起動することが必要とされ、ステップ２０３が実行される。それ以外の場合、ステップ２０４が実行され、現在の総容量を更に判定することが必要とされる。
【００２８】
ステップ２０３：ネットワーク管理サーバは、起動指示メッセージを、制御装置に送信する。そして、制御装置を介して、起動指示メッセージによって指定された非動作中ＡＰを起動するよう制御する。
【００２９】
同一カバレッジエリア内の現在の総容量が、予め設定された、総容量の上限より大きく、かつ、サービストラフィックが引き続き上昇していると判定された場合、カバレッジエリア内のサービストラフィックが比較的大きく、かつ、現在の動作中ＡＰが新たなユーザを許容することができないということが示されており、ユーザの帯域幅要求を保証するために、アイドル状態にあるＡＰを、動作中ＡＰの負荷を共有するように起動することが必要とされる。この実施形態では、ＡＰを起動又は停止するよう制御するために、ネットワーク管理サーバとＡＰとの間に、制御装置が追加される。制御装置は、少なくとも、通信インタフェースと、制御ポートと、中央処理ユニット（ＣＰＵ）とを含む。制御装置は、ネットワーク管理サーバと通信するために、通信インタフェースを介して、ネットワークに接続され、ＡＰに対する制御を実施するために、制御ポートを介して、カバレッジエリア内のＡＰに接続される。アイドル状態にあるＡＰを起動することが必要とされると判定した場合、ネットワーク管理サーバは、起動指示メッセージを、制御装置に送信し、起動指示メッセージは、非動作中ＡＰに関する装置識別情報、あるいは、ＭＡＣアドレス又はＩＰアドレスなどの情報を運ぶ。起動指示メッセージを受信した後、制御装置は、メッセージを解析して、メッセージ内で運ばれる、非動作中ＡＰに関する装置識別情報、あるいは、ＭＡＣアドレス又はＩＰアドレスなどの情報を取得し、装置識別情報、あるいは、ＭＡＣアドレス又はＩＰアドレスなどの情報に従って、対応する非動作中ＡＰを起動するよう制御する。
【００３０】
具体的には、ステップ２０３において、制御装置を介して、起動指示メッセージによって指定された非動作中ＡＰを起動するよう制御することは、制御装置によって、制御される非動作中ＡＰに関する装置識別情報、あるいは、ＭＡＣアドレス又はＩＰアドレスなどの情報を、受信された、ネットワーク管理サーバによって送信された起動指示メッセージから取得し、装置識別情報、あるいは、ＭＡＣアドレス又はＩＰアドレスなどの情報に従って、対応する制御ポートを探索し、制御ポートを介して、起動信号を、制御ポートと接続された、カバレッジエリア内の非動作中ＡＰに送信し、起動信号を介して、非動作中ＡＰ内の電源スイッチリレーを制御することによって、非動作中ＡＰを起動するよう制御することを含んでもよい。起動信号は、パルス信号、レベル信号などであってもよい。以下の実施形態における起動信号も、パルス信号、レベル信号などであり、ここでは詳細に説明しない。制御される非動作中ＡＰ内にはリレーが設けられており、制御装置は、ＡＰの電源を起動するために、ＡＰ内の電源スイッチリレーを閉じる。制御装置が、起動パルス又はレベル信号を使用することによって、ＡＰを起動するよう制御する場合、制御装置の制御ポートとＡＰとの間の接続線は、通常のケーブルであり、制御されるＡＰは、休眠状態をサポートすることなく、完全に電源停止されてもよい。
【００３１】
具体的には、ステップ２０３において、制御装置を介して、起動指示メッセージによって指定された非動作中ＡＰを起動するよう制御することは、制御装置によって、制御される非動作中ＡＰに関する装置識別情報、あるいは、ＭＡＣアドレス又はＩＰアドレスなどの情報を、受信された、ネットワーク管理サーバによって送信された起動指示メッセージから取得し、装置識別情報、あるいは、ＭＡＣアドレス又はＩＰアドレスなどの情報に従って、対応する制御ポートを探索し、制御ポートを介して、リモートウェイクアップフレームを、制御ポートと接続された、カバレッジエリア内の非動作中ＡＰに送信し、リモートウェイクアップフレームを介して、非動作中ＡＰを始動させることを含んでもよい。リモートウェイクアップフレームは、ＭＡＣアドレスと、起動タグワード（ｔｕｒｎ−ｏｎ  ｔａｇ  ｗｏｒｄ）とを指定する、特別な媒体アクセス制御（ＭＡＣ）フレームである。起動タグワードは、ＡＰによって生成され、最初の実行中に、能動的に、ネットワーク管理サーバに送信され、又は、その他の手段によって、ネットワーク管理サーバ内に設定され、そして、起動タグワードは、ネットワーク管理サーバによって送信される、起動指示メッセージ内に含まれる。また、カバレッジエリア内の制御装置が、ターンタグワードを記憶してもよく、そして、リモートウェイクアップフレームを介してＡＰを始動させることが必要とされる場合、制御装置は、起動指示メッセージ内の、ＡＰの装置識別子を介して、対応する起動タグワードを見い出し、ＡＰを起動するよう制御するために、リモートウェイクアップフレームを、指定されたＡＰに送信する。制御装置が、リモートウェイクアップフレームを使用することによって、ＡＰを起動するよう制御する場合、制御装置の制御ポートは、ネットワークポートであり、制御装置とＡＰとの間の接続線は、ネットワークケーブルであり、制御されるＡＰは、完全に電源停止されてはならず、休眠状態をサポートする必要がある。リモートウェイクアップフレームは、様々な特定の実施を有してもよく、これは本発明の実施形態の焦点ではなく、この技術に関する詳細についてはここでは説明しない、ということを当業者は理解するであろう、ということに留意されたい。
【００３２】
ステップ２０３において、制御装置は、ＺｉｇＢｅｅ（ジグビー）技術を使用することによって、ＡＰを遠隔的に起動してもよい。ＺｉｇＢｅｅ技術は、低速かつ低消費電力の短距離無線通信技術であり、制御に特に適している。ＺｉｇＢｅｅ技術を使用することによって、ＡＰが起動されるよう制御される場合、制御装置とＡＰとは、それぞれ、ＺｉｇＢｅｅ通信モジュールを必要とし、そして、制御ケーブルを接続する必要はない。制御装置を介して、起動指示メッセージによって指定された非動作中ＡＰを起動するよう制御することは、制御装置によって、制御される非動作中ＡＰに関する装置識別情報、あるいは、ＭＡＣアドレス又はＩＰアドレスなどの情報を、受信された、ネットワーク管理サーバによって送信された起動指示メッセージから、制御装置のＣＰＵの処理の後に取得し、非動作中ＡＰのＺｉｇＢｅｅ通信モジュールのＺｉｇＢｅｅアドレスに関する情報を更に見い出し、制御装置の内部回路を介して、起動指示メッセージを、制御装置のＺｉｇＢｅｅ通信モジュールに送信することを含んでもよい。制御装置のＺｉｇＢｅｅ通信モジュールは、無線リンクを用いて、ＺｉｇＢｅｅ信号を、ＺｉｇＢｅｅアドレスに対応する、非動作中ＡＰのＺｉｇＢｅｅ通信モジュールに送信し、ＺｉｇＢｅｅ信号を受信した後、非動作中ＡＰのＺｉｇＢｅｅ通信モジュールは、ＡＰのメイン回路を起動するよう制御するために、パルス又はレベル信号を、ＡＰの起動回路に送信する。起動信号は、パルス信号、レベル信号などであってもよい。制御される非動作中ＡＰ内にはリレーが設けられており、ＺｉｇＢｅｅ通信モジュールは、ＡＰを起動するために、パルス又はレベルを入力してリレーを閉じる。ＡＰのＺｉｇＢｅｅ通信モジュールは、ＡＰが動作しない場合でも、指示を受信することが可能である必要がある。従って、ＡＰのＺｉｇＢｅｅ通信モジュールは、常に電力を必要とし、これは、ＡＰに取り付けられたバッテリ又は電源アダプタによって供給されてもよく、しかし、制御装置のＺｉｇＢｅｅ通信モジュールは、電力を供給するためにバッテリを使用しなくてもよく、制御装置は、それ自身の電力を、パワーサプライに接続されている場合に使用する。
【００３３】
更に、制御装置は、ローカルエリアネットワークスイッチ内に組み込まれてもよい。制御装置が、ローカルエリアネットワークスイッチ内に組み込まれている場合、ネットワーク管理サーバとの通信のための、制御装置の通信ポートは、スイッチ内に配置され、スイッチの下りリンクイーサネット（登録商標）ポートに接続され、制御装置は、ローカルエリアネットワークスイッチの出力ポートを、ローカルエリアネットワークスイッチの他の下りリンクイーサネット（登録商標）ポートと多重化するように、ＡＰの制御ポートを制御する。この場合、ローカルエリアネットワークスイッチ内の独立したモジュールとしての、制御装置は、制御装置モジュールとして構成され、これは、それ自身のＭＡＣアドレス及びＩＰアドレスを有し、ＣＰＵ、通信インタフェース、及び制御ポートなどの、制御装置の全ての構成要素を含む。
【００３４】
本発明の一実施形態では、制御装置モジュールを含むローカルエリアネットワークスイッチのスイッチングモジュールは、ＣＰＵを、制御装置モジュールと共有してもよい。ローカルエリアネットワークスイッチは、上りリンクネットワークポートを介して、ネットワークにアクセスされ、そして、上りリンクネットワークポートを介して、ネットワークからメッセージを受信し、かつ、ネットワークにメッセージを送信する（起動指示メッセージ、及び停止指示メッセージを、ネットワーク管理サーバから受信することを含む）。複数の下りリンクイーサネット（登録商標）ポートが、ローカルエリアネットワークスイッチ内に含まれ、ここで、イーサネット（登録商標）ポートのうちのいくつかは、外部イーサネット（登録商標）装置を接続するために、内部接続線を介して、ローカルエリアネットワークスイッチの外部インタフェースに接続され、イーサネット（登録商標）ポートのうちの１つは、内部接続線を介して、制御装置モジュールの通信インタフェースに接続され、そして、ネットワーク管理サーバから制御装置モジュールに送信された、起動指示メッセージ、及び停止指示メッセージを伝送するように構成される。制御装置モジュールの制御ポートは、それぞれ、ローカルエリアネットワークスイッチの他の外部インタフェースに、ローカルエリアネットワークスイッチの外部インタフェースを介したＡＰへの接続を実施するために接続される。ローカルエリアネットワークスイッチの外部インタフェースと、ＡＰのネットワークポートとは、カテゴリ５ケーブルを介して、情報相互作用を実施してもよく、カテゴリ５ケーブルは、合計で４ペア（８ワイヤ）を有し、ここで、２ペア（４ワイヤ）のみが実際に使用されている。この実施形態では、制御装置がローカルエリアネットワークスイッチ内に組み込まれ、制御装置は、ケーブル内の使われていないワイヤのうちの１ペアを、ローカルエリアネットワークスイッチとＡＰとの間の接続を通る制御線として働くように使用してもよく、これにより、接続ケーブルが節約され得る。
【００３５】
この実施形態では、制御装置がローカルエリアネットワークスイッチ内に組み込まれ、そのため、ローカルエリアネットワークスイッチと制御装置とは、統一体としてネットワーク内に配置され、これにより、余分なハードウェア装置によって占められる物理的空間が節約され、同時に、ＡＰに対する制御装置の制御は影響を及ぼされない。
【００３６】
ステップ２０４：ネットワーク管理サーバは、負荷情報に従って、カバレッジエリアの現在の総容量が、総容量の下限より小さいかどうか、及び、現在の総容量が非上昇傾向にあるかどうかを判定し、カバレッジエリアの現在の総容量が、総容量の下限より小さく、かつ、現在の総容量が非上昇傾向にある場合、ステップ２０５が実行され、カバレッジエリアの現在の総容量が、総容量の下限より小さくなく、かつ、現在の総容量が非上昇傾向にない場合、プロセスは終了する。
【００３７】
ネットワーク管理サーバは、受信された、動作中ＡＰに関する負荷情報に従って、カバレッジエリアの現在の総容量を取得し、特定の取得方法は、上記の実施形態で説明された方法、すなわち、カバレッジエリアの現在の総容量を判定し、現在の総容量が、予め設定された、総容量の上限より小さいと判定した後、現在の総容量が、予め設定された、総容量の下限より小さいかどうか、及び、現在の総容量が、非上昇傾向にあるかどうかを引き続き判定することであってもよい。非上昇傾向は、カバレッジエリアの総容量が、安定状態にあること、すなわち、その負荷数が、ある期間内、基本的に不変であることであってもよく、非上昇傾向は、また、カバレッジエリアの総容量が、下降状態にあり、カバレッジエリアの負荷が、徐々に減少することであってもよい。現在の総容量は、この場合、カバレッジエリアの負荷数、すなわち、現在カバレッジエリアにアクセスしているユーザの数であってもよく、そして、現在の総容量の傾向は、一定期間内の、カバレッジエリアにアクセスしているユーザの数を監視することによって判定されてもよい。その期間が１分に設定されたと仮定すると、カバレッジエリアにアクセスしているユーザの数が、１分おきに監視される。最初に監視されたユーザの数が４０であり、２回目は６０であり、３回目は８０であると仮定すると、カバレッジエリアの現在の総容量が上昇傾向にあることは明らかである。現在の容量が、容量下限より小さく、かつ、容量が非上昇傾向にあると判定された場合、カバレッジエリア内のサービストラフィックが比較的小さいということが示されており、リソースの浪費を避けるために、１つ以上の動作中ＡＰが停止されてもよく、かつ、その動作中ＡＰ上のユーザが、他の動作中ＡＰ上に移行させられてもよい。現在の総容量が、予め設定された容量下限より小さくない場合、これは、現在のサービストラフィックが通常状態にあることを示しており、従って、プロセスは終了する。
【００３８】
更に、ネットワーク管理サーバは、各動作中ＡＰの現在の容量をそれぞれ判定してもよい。ネットワーク管理サーバが、判定時に、特定の動作中ＡＰの現在の容量が、予め設定された容量下限より小さいことを見い出し（その動作中ＡＰの負荷が常に軽いことが示されており、例えば、その動作中ＡＰは、常に、１つ又は２つのユーザを有する）、かつ、カバレッジエリアの総容量が上昇状態にないことを見い出した場合、その動作中ＡＰ上のユーザが、同一カバレッジエリア内の他のＡＰ上に移行させられてもよく、かつ、その特定の動作中ＡＰが停止されてもよい。ここでの容量下限は、上述の、総容量の下限とは異なり、その理由は、総容量の下限は、カバレッジエリア内の全ての動作中ＡＰに関し、一方、ここでの容量下限は、１つの動作中ＡＰに関するからである。
【００３９】
ステップ２０５：ネットワーク管理サーバは、停止指示メッセージを、カバレッジエリア内の１つの動作中ＡＰに送信し、停止指示メッセージに従って、動作中ＡＰを停止するよう制御する。
【００４０】
カバレッジエリア内の現在の総容量が、予め設定された容量下限より小さい、又は、特定のＡＰの容量が常に小さく、かつ、現在の総容量が非上昇傾向にあると判定された場合、カバレッジエリア内のサービストラフィックが比較的小さく、かつ、現在起動されているＡＰの数が比較的大きいということが示されており、そのうちの特定のＡＰを、リソースを節約するために停止することが必要とされる。具体的には、ネットワーク管理サーバは、停止指示メッセージを、カバレッジエリア内の１つの動作中ＡＰに送信し、ここで、停止指示メッセージは、負荷の移行先となるデスティネーションＡＰに関する、ＩＰアドレス又はその他の識別情報を運んでもよく、移行デスティネーションＡＰの数は、１つ以上であってもよい。停止指示メッセージを受信した後、動作中ＡＰは、最初に、その動作中ＡＰに接続されたユーザを、停止指示メッセージによって指定された、又は、その動作中ＡＰ自身によって見い出された、他のＡＰ上に移行させる。特定の移行プロセスは、本発明の実施形態の焦点ではなく、当業者は、既存の技術標準を参照して移行を実施してもよく、又は、実施プロセスを規定してもよい。ユーザの移行を完了した後、停止されるＡＰは、停止動作が完了したことを示すために、停止応答を、ネットワーク管理サーバに返してもよく、次に、自動的に停止される。ここでの停止は、電源を停止すること、又は、遠隔的にウェイクアップされることが可能な、休眠状態に入ることであってもよい、ということに留意されたい。
【００４１】
この実施形態は、ネットワーク管理サーバが、同一カバレッジエリア内の動作中ＡＰに関する負荷情報を受信し、負荷情報に従って、現在の容量を判定し、現在の容量が、予め設定された容量上限より大きく、かつ、現在の容量が上昇傾向にある場合、ネットワーク管理サーバが、制御装置を介して、カバレッジエリア内の非動作中ＡＰを起動するよう制御し、現在の容量が、予め設定された容量下限より小さく、かつ、現在の容量が非上昇傾向にある場合、ネットワーク管理サーバが、特定の動作中ＡＰを、その動作中ＡＰに停止指示メッセージを送信することによって、停止するよう制御する、ＡＰを制御する方法を提供し、これにより、サービストラフィックに従って、同一カバレッジエリア内のＡＰが起動又は停止されるよう自動的に制御され、リソースが合理的に利用され、同時に労働コストが削減され、作業効率が向上する。
【００４２】
図３は、本発明による、ＡＰを制御する方法の更に別の実施形態のフローチャートである。図３に示すように、本発明のこの実施形態は、ＡＰを制御する方法を提供する。この実施形態は、上記の実施形態に基づいており、ここで、同一カバレッジエリア内のＡＰは、プライマリ動作中ＡＰと、１つ以上のセカンダリＡＰとを含み、この方法は、以下のステップを特に含む。
【００４３】
ステップ３０１：ネットワーク管理サーバは、カバレッジエリア内のプライマリ動作中ＡＰ及びセカンダリ動作中ＡＰに関する負荷情報を受信する。
【００４４】
この実施形態では、カバレッジエリア内のＡＰは、プライマリＡＰと、セカンダリＡＰとに分類され、ここで、プライマリＡＰは、常に動作中状態にあり、セカンダリＡＰのうちのいくつかは、動作中状態にあり、いくつかは、アイドル状態にある。従って、動作中状態にあるＡＰは、プライマリ動作中ＡＰと、セカンダリ動作中ＡＰとに分類され、アイドル状態にあるＡＰは、非動作中ＡＰである。ネットワーク管理サーバによって受信される負荷情報は、カバレッジエリア内のプライマリ動作中ＡＰ及びセカンダリ動作中ＡＰ上の負荷情報である。負荷情報は、プライマリ動作中ＡＰ、及びセカンダリ動作中ＡＰのそれぞれを介して、周期的に、ネットワーク管理サーバに報告されてもよく、又は、ネットワーク管理サーバは、能動的に、ポーリングメッセージを、プライマリ動作中ＡＰ、及びセカンダリ動作中ＡＰに送信し、ポーリングメッセージを介して、プライマリ動作中ＡＰ、及び少なくとも１つのセカンダリ動作中ＡＰに関する負荷情報が取得される。
【００４５】
ステップ３０２：ネットワーク管理サーバは、負荷情報に従って、カバレッジエリアの現在の総容量が、総容量の上限より大きいかどうか、及び、現在の総容量が上昇傾向にあるかどうかを判定し、カバレッジエリアの現在の総容量が、総容量の上限より大きく、かつ、現在の総容量が上昇傾向にある場合、ステップ３０３が実行され、カバレッジエリアの現在の総容量が、総容量の上限より大きくなく、かつ、現在の総容量が上昇傾向にない場合、ステップ３０４が実行される。
【００４６】
ネットワーク管理サーバは、受信された、プライマリ動作中ＡＰ及びセカンダリ動作中ＡＰに関する負荷情報に従って、カバレッジエリアの現在の総容量を取得し、特定の取得方法は、上記の実施形態で説明された方法、すなわち、カバレッジエリアの現在の総容量を判定し、現在の総容量が、総容量の上限より大きいかどうか、及び、現在の総容量が、上昇傾向にあるかどうかを判定すること、すなわち、カバレッジエリア内の総サービストラフィックが、予め設定された上限を超過するかどうかを判定することによるものであってもよい。現在の総容量が、総容量の上限より大きく、かつ、現在の総容量が上昇傾向にある場合、ステップ３０３が実行され、そして、同一カバレッジエリア内のＡＰを制御すること、及び、スタンバイＡＰを起動することによって動作中ＡＰのサービストラフィックを共有することが必要とされる。現在の総容量が、総容量の上限を超過しない場合、ステップ３０４が実行され、そして、現在の総容量を更に判定することが必要とされる。
【００４７】
ステップ３０３：ネットワーク管理サーバは、起動指示メッセージを、プライマリ動作中ＡＰに送信し、プライマリ動作中ＡＰは、起動指示メッセージによって指定された非動作中ＡＰを起動するよう制御する。
【００４８】
同一カバレッジエリア内のプライマリ動作中ＡＰ及びセカンダリ動作中ＡＰの現在の容量の合計が、予め設定された、総容量の上限より大きいと判定された場合、カバレッジエリア内のサービストラフィックが比較的大きいということが示されており、ユーザの帯域幅要求を保証するために、アイドル状態にあるＡＰを、動作中ＡＰの負荷を共有するように起動することが必要とされる。ネットワーク管理サーバは、起動指示メッセージを、プライマリ動作中ＡＰに送信し、ここで、起動指示メッセージは、起動されるＡＰに関する識別情報（固有の装置識別番号、又はＭＡＣアドレス、又は静的に設定されたＩＰアドレスなど）を含み、プライマリ動作中ＡＰは、起動指示メッセージによって指定された非動作中ＡＰに従って、非動作中ＡＰを起動するよう制御する。
【００４９】
具体的には、プライマリ動作中ＡＰは、以下の手法で、起動される非動作中ＡＰを起動するよう制御する。
【００５０】
プライマリ動作中ＡＰ内の制御回路は、起動信号を、起動指示メッセージによって指定された非動作中ＡＰに送信し、非動作中ＡＰ内のリレーを制御することによって、非動作中ＡＰを起動するよう制御する。プライマリ動作中ＡＰは、制御回路を含み、プライマリ動作中ＡＰのＣＰＵは、起動信号を、制御回路に送信してもよく、これにより、制御回路を非動作中ＡＰに接続するケーブルに、電気パルス、又は変化したレベルが生成され、電気パルス、又は変化したレベルは、プライマリ動作中ＡＰの電気信号出力ポートを介して出力され、非動作中ＡＰの電源スイッチリレーが閉じられ、その結果、非動作中ＡＰの電源が起動される。プライマリ動作中ＡＰは、複数の非動作中ＡＰを接続するための、複数の電気信号出力ポートを有する。特定の実施は、当業者にとって周知の知識であり、ここでは詳細に説明しない、ということに留意されたい。
【００５１】
あるいは、プライマリ動作中ＡＰ内のイーサネット（登録商標）ローカルエリアネットワークスイッチング回路を介して、リモートウェイクアップフレームが、起動指示メッセージによって指定された非動作中ＡＰに送信され、非動作中ＡＰは、リモートウェイクアップフレームを介して、起動されるよう制御される。イーサネット（登録商標）ローカルエリアネットワークスイッチング回路は、プライマリ動作中ＡＰ内に組み込まれ、イーサネット（登録商標）ローカルエリアネットワークスイッチング回路は、異なる非動作中ＡＰにそれぞれ接続された、複数のイーサネット（登録商標）ポートを有する。非動作中ＡＰも、イーサネット（登録商標）ポートを有し、そのイーサネット（登録商標）ポートは、リモートウェイクアップ機能をサポートする。非動作中ＡＰは、動作していない場合、休眠状態にあり、完全に電源停止はされない。プライマリ動作中ＡＰは、プライマリ動作中ＡＰ内に組み込まれたイーサネット（登録商標）ローカルエリアネットワークスイッチング回路を介して、リモートウェイクアップフレームを、非動作中ＡＰのイーサネット（登録商標）ポートに送信し、リモートウェイクアップフレームを介して、非動作中ＡＰのメイン回路の電源を起動するよう制御する。
【００５２】
あるいは、プライマリ動作中ＡＰ内のＺｉｇＢｅｅ通信モジュールが、ＺｉｇＢｅｅ信号を、起動指示メッセージによって指定された非動作中ＡＰ内のＺｉｇＢｅｅ通信モジュールに送信し、非動作中ＡＰは、ＺｉｇＢｅｅ信号を介して、起動されるよう制御される。プライマリ動作中ＡＰ、及び非動作中ＡＰは、両方とも、ＺｉｇＢｅｅ通信モジュールを含む。非動作中ＡＰのＺｉｇＢｅｅ通信モジュールは、ＡＰのバッテリ又は電源アダプタによって電力を供給され、そして、メイン回路が動作しない場合、ＺｉｇＢｅｅ通信モジュールは、依然として動作中状態にある。プライマリ動作中ＡＰのＺｉｇＢｅｅ通信モジュールは、電力を供給するためにバッテリを使用しなくてもよく、しかし、メイン回路と同じパワーサプライを使用し、そして、メイン回路が動作しない場合、プライマリ動作中ＡＰのＺｉｇＢｅｅ通信モジュールは、動作する必要はない。プライマリ動作中ＡＰのＣＰＵは、起動指示メッセージを、プライマリ動作中ＡＰのＣＰＵ内に含まれるＺｉｇＢｅｅ通信モジュールに送信し、起動指示メッセージは、起動されるＡＰのＺｉｇＢｅｅ通信モジュールのアドレスを含む。また、起動されるＡＰに関する装置識別情報が、プライマリ動作中ＡＰのＺｉｇＢｅｅ通信モジュールに送信されてもよく、装置識別情報に従って、対応するＺｉｇＢｅｅ通信モジュールのアドレスが照会される。起動指示メッセージを受信した後、プライマリ動作中ＡＰのＺｉｇＢｅｅ通信モジュールは、メッセージを、非動作中デスティネーションＡＰのＺｉｇＢｅｅ通信モジュールに送信する。起動指示を受信した後、非動作中デスティネーションＡＰのＺｉｇＢｅｅ通信モジュールは、内部制御回路を介して、非動作中ＡＰのメイン回路の電源を起動する。
【００５３】
ステップ３０４：ネットワーク管理サーバは、負荷情報に従って、カバレッジエリアの現在の総容量が、総容量の下限より小さいかどうか、及び、現在の総容量が非上昇傾向にあるかどうかを判定し、カバレッジエリアの現在の総容量が、総容量の下限より小さく、かつ、現在の総容量が非上昇傾向にある場合、ステップ３０５が実行され、カバレッジエリアの現在の総容量が、総容量の下限より小さくなく、かつ、現在の総容量が非上昇傾向にない場合、プロセスは終了する。
【００５４】
ネットワーク管理サーバは、受信された、プライマリ動作中ＡＰ及びセカンダリ動作中ＡＰに関する負荷情報に従って、カバレッジエリアの現在の総容量を取得し、特定の取得方法は、上記の実施形態で説明された方法、すなわち、カバレッジエリアの現在の総容量を判定し、現在の総容量が、予め設定された、総容量の上限より小さいと判定した後、現在の総容量が、予め設定された、総容量の下限より小さいかどうか、及び、現在の総容量が、非上昇傾向にあるかどうかを引き続き判定すること、すなわち、カバレッジエリア内のプライマリ動作中ＡＰ及びセカンダリ動作中ＡＰによって処理される総サービストラフィックが、予め設定された下限より低いかどうかを判定することであってもよい。現在の総容量が、予め設定された、総容量の下限より小さく、かつ、現在の総容量が非上昇傾向にある場合、ステップ３０５が実行され、そして、同一カバレッジエリア内のＡＰを制御し、リソースの無駄を減らすために特定の動作中ＡＰを停止することが必要とされる。現在の総容量が、予め設定された容量下限より小さくない場合、これは、現在のサービストラフィックが通常状態にあることを示しており、プロセスは終了する。
【００５５】
あるいは、ネットワーク管理サーバは、各セカンダリ動作中ＡＰのそれぞれの現在の容量も判定してもよく、特定の動作中ＡＰの現在の容量が、予め設定された容量下限より小さい、すなわち、セカンダリ動作中ＡＰの負荷が常に軽く、かつ、そのＡＰの負荷が他の動作中ＡＰに移されてもよい場合、停止指示メッセージが、そのセカンダリ動作中ＡＰに、それを停止するために送信されてもよい。
【００５６】
ステップ３０５：ネットワーク管理サーバは、停止指示メッセージを、セカンダリ動作中ＡＰに送信し、停止指示メッセージを介して、セカンダリ動作中ＡＰを停止するよう制御する。
【００５７】
同一カバレッジエリア内のプライマリ動作中ＡＰ及びセカンダリ動作中ＡＰの現在の総容量が、予め設定された、総容量の下限より小さいと判定された場合、カバレッジエリア内のサービストラフィックが比較的小さく、かつ、現在起動されているＡＰの数が比較的大きいということが示されており、リソースを節約するために特定のＡＰを停止することが必要とされる。具体的には、ネットワーク管理サーバは、停止指示メッセージを使用して、停止されるセカンダリ動作中ＡＰのＩＰアドレスを送信する。停止指示メッセージを受信した後、セカンダリ動作中ＡＰは、最初に、それに接続されたユーザを、指定されたセカンダリ動作中ＡＰに移行させ、ユーザの移行を完了した後、停止されるＡＰは、停止動作が完了したことを示すために、停止応答を、ネットワーク管理サーバに返し、次に、自動的に停止されるようにしてもよい。
【００５８】
この実施形態は、ネットワーク管理サーバが、プライマリ動作中ＡＰ及びセカンダリ動作中ＡＰに関する負荷情報を受信し、負荷情報に従って、現在の容量を判定し、現在の容量が、予め設定された容量上限より大きい場合、ネットワーク管理サーバが、プライマリ動作中ＡＰを介して、１つの非動作中ＡＰを起動し、現在の容量が、予め設定された容量下限より小さい場合、ネットワーク管理サーバが、特定の非動作中ＡＰを、直接停止する、ＡＰを制御する方法を提供し、これにより、サービストラフィックに従って、同一カバレッジエリア内のＡＰが起動又は停止されるよう自動的に制御され、リソースが合理的に利用され、同時に労働コストが削減され、作業効率が向上する。
【００５９】
図４は、本発明による、ＡＰを制御する方法の更に別の実施形態のフローチャートである。図４に示すように、本発明のこの実施形態は、ＡＰを制御する別の方法を提供し、この実施形態によって提供される方法は、カバレッジエリア内のプライマリＡＰを介して、セカンダリＡＰを起動又は停止するよう制御する、ＡＰ自律方法である。この方法は、以下のステップを特に含む。
【００６０】
ステップ４０１：プライマリ動作中ＡＰは、カバレッジエリア内のセカンダリ動作中ＡＰに関する負荷情報を受信する。
【００６１】
この実施形態では、ＡＰは、プライマリＡＰと、セカンダリＡＰとに分類される。動作中状態にあるＡＰは、プライマリ動作中ＡＰと、セカンダリ動作中ＡＰとを含み、アイドル状態にあるＡＰは、非動作中ＡＰと呼ばれる。プライマリ動作中ＡＰは、セカンダリ動作中ＡＰを起動又は停止するよう制御する。同一カバレッジエリア内のＡＰは、イーサネット（登録商標）、ＷｉＦｉ、及びＺｉｇＢｅｅなどの通信手法を介して相互接続され、それらのＡＰ間で負荷情報を交換し、１つのＡＰの負荷が比較的重い場合、そのＡＰ内のユーザのうちのいくつかが、他の動作中ＡＰに移行させられてもよい。しかし、全ての動作中ＡＰの負荷が重い場合、ユーザによって必要とされる帯域幅は、ＡＰ間でのユーザ移行を介して満たされることはできない。この実施形態では、プライマリ動作中ＡＰが、前述の実施形態で説明されたネットワーク管理サーバの機能を実施し、そして、カバレッジエリア内のセカンダリ動作中ＡＰに関する負荷情報を受信してもよい。負荷情報は、セカンダリ動作中ＡＰを介して、周期的に、プライマリ動作中ＡＰに報告されてもよく、又は、プライマリ動作中ＡＰは、能動的に、ポーリングメッセージを、セカンダリ動作中ＡＰに送信し、ポーリングメッセージを介して、セカンダリ動作中ＡＰに関する負荷情報が取得される。
【００６２】
ステップ４０２：プライマリ動作中ＡＰは、セカンダリ動作中ＡＰに関する負荷情報と、プライマリ動作中ＡＰに関する負荷情報とに従って、カバレッジエリアの現在の総容量を判定し、判定結果に従って、カバレッジエリア内のＡＰを制御する。
【００６３】
プライマリ動作中ＡＰは、受信された負荷情報と、プライマリ動作中ＡＰに関する負荷情報とに従って、カバレッジエリアの現在の総容量を判定し、カバレッジエリアの現在の総容量が、総容量の上限より大きい場合、プライマリ動作中ＡＰは、カバレッジ内の１つの非動作中ＡＰを起動するよう制御する。具体的には、プライマリ動作中ＡＰは、起動信号を、カバレッジエリア内の１つの非動作中ＡＰに送信し、起動信号を介して、非動作中ＡＰ内のリレーを制御することによって、非動作中ＡＰを起動するよう制御する。あるいは、プライマリ動作中ＡＰは、リモートウェイクアップフレームを、カバレッジエリア内の１つの非動作中ＡＰに送信し、リモートウェイクアップフレームを介して、非動作中ＡＰを起動するよう制御する。あるいは、プライマリ動作中ＡＰは、そのプライマリ動作中ＡＰのＺｉｇＢｅｅ通信モジュールを介して、ＺｉｇＢｅｅ信号を、カバレッジエリア内の１つの非動作中ＡＰのＺｉｇＢｅｅ通信モジュールに送信し、ＺｉｇＢｅｅ信号を介して、非動作中ＡＰを起動するよう制御する。カバレッジエリアの現在の総容量が、総容量の下限より小さい場合、プライマリ動作中ＡＰは、ＷｉＦｉプロトコルを介して、停止指示メッセージを、カバレッジエリア内の１つのセカンダリ動作中ＡＰに送信し、停止指示メッセージに従って、セカンダリ動作中ＡＰを停止するよう制御する。
【００６４】
あるいは、カバレッジエリア内のセカンダリ動作中ＡＰの現在の容量が、容量下限より小さく、かつ、カバレッジエリアの現在の総容量が非上昇傾向にあると判定された場合、そのセカンダリ動作中ＡＰは、停止されるよう制御される。すなわち、プライマリ動作中ＡＰが、特定のセカンダリ動作中ＡＰの容量が常に低い（例えば、そのセカンダリ動作中ＡＰが１つ又は２つのユーザのみを有する）ことを見い出し、かつ、カバレッジエリアの現在の総容量が上昇傾向にないことを見い出した場合、プライマリ動作中ＡＰは、そのセカンダリ動作中ＡＰを停止するよう制御するために、停止指示メッセージを、そのセカンダリ動作中ＡＰに送信してもよい。
【００６５】
この実施形態では、プライマリＡＰとセカンダリＡＰとは、ＷｉＦｉチャネルを介して、負荷情報を交換する。もちろん、特定の実施の間、イーサネット（登録商標）リモートウェイクアップ技術が、非動作中ＡＰを起動することを可能にするために採用される場合、イーサネット（登録商標）が、プライマリＡＰとセカンダリＡＰとの間で負荷情報を交換するために使用されてもよい。イーサネット（登録商標）リモートウェイクアップ技術が使用される場合、アイドル状態にあるセカンダリＡＰは、休眠モードをサポートする必要があり、負荷がない場合、セカンダリＡＰは、休眠モードに入り、イーサネット（登録商標）リモートウェイクアップ技術をサポートし、そして、必要な場合、プライマリ動作中ＡＰは、イーサネット（登録商標）リモートウェイクアップ技術を使用することによって、アイドル状態にある非動作中ＡＰを起動する。イーサネット（登録商標）は、また、負荷情報を交換するために、プライマリＡＰとセカンダリＡＰとを接続するために使用されてもよく、非動作中ＡＰは、依然としてパルス又はレベル電気信号を介して制御される。この場合、プライマリＡＰとセカンダリＡＰとは、カテゴリ５ケーブルを介して、情報相互作用を実施してもよく、カテゴリ５ケーブルは、合計で４ペア（８ワイヤ）を有し、ここで、２ペア（４ワイヤ）のみが実際に使用されている。従って、プライマリＡＰとセカンダリＡＰとは、ケーブル内の使われていない線のうちの１ペアを、起動制御線として働くように使用することによって接続されてもよく、これにより、接続ケーブルが節約され得る。
【００６６】
この実施形態は、プライマリ動作中ＡＰが、同一カバレッジエリア内の動作中ＡＰに関する負荷情報を受信し、負荷情報に従って、現在の容量を判定し、現在の容量が、予め設定された容量上限より大きい場合、プライマリ動作中ＡＰが、カバレッジエリア内の非動作中ＡＰを起動するよう制御し、現在の容量が、予め設定された容量下限より小さい場合、プライマリ動作中ＡＰが、特定のセカンダリ動作中ＡＰを停止するよう制御するために、停止指示メッセージを、セカンダリ動作中ＡＰに送信する、ＡＰを制御する方法を提供し、これにより、サービストラフィックに従って、同一カバレッジエリア内のＡＰが起動又は停止されるよう自動的に制御され、リソースが合理的に利用され、同時に労働コストが削減され、作業効率が向上する。
【００６７】
図５は、本発明による、ネットワーク管理サーバの一実施形態の概略構成図である。図５に示すように、本発明の一実施形態は、第１の受信モジュール５０１と、第１の判定モジュール５０２と、第１の制御モジュール５０３とを特に含む、ネットワーク管理サーバを提供する。第１の受信モジュール５０１は、カバレッジエリア内の動作中ＡＰに関する負荷情報を受信する。第１の判定モジュール５０２は、第１の受信モジュール５０１によって受信された負荷情報に従って、カバレッジエリアの現在の総容量を判定する。第１の制御モジュール５０３は、第１の判定モジュール５０２の判定結果に従って、カバレッジエリア内のＡＰを制御するように構成される。
【００６８】
具体的には、第１の制御モジュール５０３は、第１の起動制御ユニット５１３と、第１の停止制御ユニット５２３とを含んでもよい。第１の起動制御ユニット５１３は、第１の判定モジュール５０２の判定結果が、現在の総容量が、総容量の上限より大きい場合、カバレッジエリア内の１つの非動作中ＡＰを起動するよう制御するように構成される。第１の停止制御ユニット５２３は、第１の判定モジュール５０２の判定結果が、現在の総容量が、総容量の下限より小さい場合、カバレッジエリア内の１つの動作中ＡＰを停止するよう制御するように構成される。具体的には、第１の起動制御ユニット５１３は、第１の判定モジュール５０２の判定結果が、現在の総容量が、総容量の上限より大きく、かつ、現在の総容量が上昇傾向にある場合、カバレッジエリア内の１つの非動作中ＡＰを起動するよう制御するように特に構成され、第１の停止制御ユニット５２３は、第１の判定モジュール５０２の判定結果が、現在の総容量が、総容量の下限より小さく、かつ、現在の総容量が非上昇傾向にある場合、カバレッジエリア内の１つの動作中ＡＰを停止するよう制御するように特に構成される。第１の停止制御ユニット５２３は、第１の判定モジュール５０２の判定結果が、動作中ＡＰの容量が、容量下限より小さく、かつ、現在の総容量が非上昇傾向にある場合、カバレッジエリア内の特定の動作中ＡＰを、その動作中ＡＰに停止指示メッセージを送信することによって、停止するよう制御するように特に構成される。より具体的には、第１の起動制御ユニット５１３は、第１の判定モジュール５０２の判定結果が、現在の総容量が、総容量の上限より大きく、かつ、現在の総容量が上昇傾向にある場合、起動指示メッセージを、制御装置に送信し、制御装置を介して、起動指示メッセージによって指定された非動作中ＡＰを起動するよう制御するように構成され、第１の停止制御ユニット５２３は、第１の判定モジュール５０２の判定結果が、現在の総容量が、総容量の下限より小さく、かつ、現在の総容量が非上昇傾向にある場合、カバレッジエリア内の１つの動作中ＡＰを、その動作中ＡＰに停止指示メッセージを送信することによって、停止するよう制御するように特に構成される。
【００６９】
新たな非動作中ＡＰを起動することが必要とされるという、第１の判定モジュール５０２の判定結果を取得した場合、第１の起動制御ユニット５１３は、起動処理のための候補となる非動作中ＡＰを選択する。詳細は、具体的には、以下の通りである。第１の起動制御ユニット５１３は、起動指示メッセージを、非動作中ＡＰに送信し、起動指示メッセージは、起動される非動作中ＡＰに関する識別情報を含み、識別情報は、非動作中ＡＰの、固有の装置識別子、ＭＡＣアドレス、及び利用可能な静的ＩＰアドレスであってもよい。起動指示メッセージは、ＡＰカバレッジエリア内の制御装置に送信されてもよい。第１の起動制御ユニット５１３は、また、リモートウェイクアップフレームを、起動される非動作中ＡＰに直接送信し、リモートウェイクアップフレームを介して、休眠状態にある非動作中ＡＰを直接ウェイクアップしてもよい。動作中ＡＰを停止することが必要とされるという、第１の判定モジュール５０２の判定結果を取得した場合、第１の停止制御ユニット５２３は、第１の判定モジュール５０２によって指定された動作中ＡＰ、又は、それ自身によって選択された特定の動作中ＡＰに、停止指示メッセージを送信する。停止指示メッセージは、移行デスティネーション動作中ＡＰを指示してもよく、これにより、停止される動作中ＡＰ上の負荷が、その動作中ＡＰが停止される前に、移行デスティネーション動作中ＡＰに移行させられることが可能である。
【００７０】
あるいは、動作中ＡＰが、プライマリ動作中ＡＰと、セカンダリ動作中ＡＰとを含む場合、第１の受信モジュール５０１は、カバレッジエリア内のプライマリ動作中ＡＰ及びセカンダリ動作中ＡＰに関する負荷情報を受信するように特に構成される。第１の起動制御ユニット５１３は、第１の判定モジュール５０２の判定結果が、現在の総容量が、総容量の上限より大きく、かつ、現在の総容量が上昇傾向にある場合、起動指示メッセージを、プライマリ動作中ＡＰに送信し、プライマリ動作中ＡＰを介して、起動指示メッセージによって指定された非動作中ＡＰを起動するよう制御するように更に特に構成される。第１の停止制御ユニット５２３は、第１の判定モジュール５０２の判定結果が、現在の総容量が、総容量の下限より小さく、かつ、現在の総容量が非上昇傾向にある場合、カバレッジエリア内の１つのセカンダリ動作中ＡＰを、そのセカンダリ動作中ＡＰにプライマリ動作中ＡＰを介して停止指示メッセージを送信することによって、停止するよう制御するように特に構成される。第１の停止制御ユニット５２３は、第１の判定モジュール５０２の判定結果が、セカンダリ動作中ＡＰの容量が、容量下限より小さく、かつ、現在の総容量が非上昇傾向にある場合、カバレッジエリア内の特定のセカンダリ動作中ＡＰを、そのセカンダリ動作中ＡＰに停止指示メッセージを送信することによって、停止するよう制御するように更に特に構成される。
【００７１】
この実施形態は、第１の受信モジュールと、第１の判定モジュールと、第１の制御モジュールとを設けることによって、サービストラフィックに従って、同一カバレッジエリア内のＡＰが起動又は停止されるよう自動的に制御され、リソースが合理的に利用され、同時に労働コストが削減され、作業効率が向上する、ネットワーク管理サーバを提供する。
【００７２】
図６は、本発明による、プライマリ動作中ＡＰの一実施形態の概略構成図である。図６に示すように、本発明の一実施形態は、プライマリ動作中ＡＰを提供する。この実施形態における動作中ＡＰは、プライマリ動作中ＡＰ、及びセカンダリ動作中ＡＰとして分類され、プライマリ動作中ＡＰは、第２の受信モジュール６０１と、第２の判定モジュール６０２と、第２の制御モジュール６０３とを含む。第２の受信モジュール６０１は、カバレッジエリア内のセカンダリ動作中ＡＰに関する負荷情報を受信するように構成され、負荷情報は、セカンダリ動作中ＡＰを介して、周期的に、プライマリ動作中ＡＰに報告されてもよく、又は、プライマリ動作中ＡＰは、ポーリングメッセージを、セカンダリ動作中ＡＰに送信し、ポーリングメッセージを介して、セカンダリ動作中ＡＰに関する負荷情報を取得する。第２の判定モジュール６０２は、プライマリ動作中ＡＰに関する負荷情報と、第２の受信モジュール６０１によって受信された、セカンダリ動作中ＡＰに関する負荷情報とに従って、カバレッジエリアの現在の総容量を判定するように構成される。
【００７３】
具体的には、この実施形態における第２の制御モジュール６０３は、第２の起動制御ユニット６１３と、第２の停止制御ユニット６２３とを特に含んでもよい。第２の起動制御ユニット６１３は、第２の判定モジュール６０２の判定結果が、現在の総容量が、総容量の上限より大きい場合、カバレッジエリア内の１つの非動作中ＡＰを起動するよう制御するように構成される。第２の停止制御ユニット６２３は、第２の判定モジュール６０２の判定結果が、現在の総容量が、総容量の下限より小さい場合、カバレッジエリア内の１つのセカンダリ動作中ＡＰを停止するよう制御するように構成される。より具体的には、第２の起動制御ユニット６１３は、第２の判定モジュール６０２の判定結果が、現在の総容量が、総容量の上限より大きく、かつ、現在の総容量が上昇傾向にある場合、カバレッジエリア内の１つの非動作中ＡＰを起動するよう制御するように特に構成される。具体的には、非動作中ＡＰは、起動信号を介して、非動作中ＡＰ内のリレーを制御することによって、起動されるよう制御され、あるいは、非動作中ＡＰは、リモートウェイクアップフレーム、又はＺｉｇＢｅｅ信号を介して、起動されるよう制御される。第２の停止制御ユニット６２３は、第２の判定モジュール６０２の判定結果が、現在の総容量が、総容量の下限より小さく、かつ、現在の総容量が非上昇傾向にある場合、カバレッジエリア内の１つのセカンダリ動作中ＡＰを停止するよう制御するように特に構成される。具体的には、停止指示メッセージが、ＷｉＦｉプロトコルを介して、カバレッジエリア内の１つのセカンダリ動作中ＡＰに送信され、セカンダリ動作中ＡＰは、停止指示メッセージを介して、停止されるよう制御される。
【００７４】
この実施形態は、第２の受信モジュールと、第２の判定モジュールと、第２の制御モジュールとを設けることによって、サービストラフィックに従って、同一カバレッジエリア内のＡＰが起動又は停止されるよう自動的に制御され、リソースが合理的に利用され、同時に労働コストが削減され、作業効率が向上する、プライマリ動作中ＡＰを提供する。
【００７５】
図７は、本発明による、ローカルエリアネットワークスイッチの一実施形態の概略構成図である。図７に示すように、本発明の一実施形態は、ローカルエリアネットワークスイッチを提供し、このローカルエリアネットワークスイッチは、制御装置７０４を含み、そして、ネットワーク管理サーバに接続された、通信インタフェース７０１と、制御装置７０４の通信ポートに接続された、下りリンクネットワークポート７０２と、制御装置７０４の制御ポート７２４と多重化された、出力ポート７０３とを更に含む。制御装置７０４の制御ポート７２４は、ローカルエリアネットワークスイッチの、残りの下りリンクネットワークポート７０２内の、２本の使われていない線を使用することによって、パルス又はレベル信号を出力する。
【００７６】
この実施形態では、ローカルエリアネットワークスイッチ内に制御装置が組み込まれ、ネットワークケーブル内の、使用されていない一対のツイストペアケーブルを制御線として使用することによって、起動パルスが伝送される。図８は、本発明による、ローカルエリアネットワークスイッチの一実施形態内の、制御装置の概略構成図である。制御装置は、少なくとも、ＣＰＵ８０１と、ネットワーク管理サーバに接続された通信ポート８０２と、ＡＰにそれぞれ接続された少なくとも１つの制御ポート８０３とを含む。制御装置は、通信ポート８０２を介して、ネットワーク管理サーバによって送信された起動指示メッセージを受信し、起動指示メッセージに従って、制御ポート８０３を介して、カバレッジエリア内の非動作中ＡＰを起動するよう制御する。通信ポート８０２は、ネットワークに接続され、起動指示を、ネットワーク管理サーバから受信する。制御ポート８０３は、ＡＰに接続され、ＡＰを起動するよう制御するように構成される。制御装置が、パルス又はレベルによってＡＰを始動させる場合、実際には、制御ポート８０３の外部は、通常のケーブル接続端子である。制御装置が、ＡＰを始動させるために、イーサネット（登録商標）ポートを使用してリモートウェイクアップフレームを送信する場合、制御ポート８０３は、ネットワークポートである。この実施形態によって提供される制御装置は、図８には示されていないが、当業者によって理解されるであろう、メモリなどの、モジュール又は構成要素を更に含むということに留意されたい。
【００７７】
具体的には、ＺｉｇＢｅｅ技術を使用することによる、ＡＰの起動に関する制御装置の制御を更に説明するために、図９は、本発明による、ローカルエリアネットワークスイッチの一実施形態内の、制御装置の一実施形態における、接続モードの概略図を示す。図９に示すように、制御装置は、少なくとも、上りリンク通信ポート９０１と、ＣＰＵ９０２と、ＺｉｇＢｅｅ通信モジュール９０３とを含む。制御装置は、通信ポート９０１を介して、起動指示メッセージを、ネットワーク管理サーバから受信し、ここで、起動指示メッセージは、制御装置のＣＰＵ９０２によって処理された後、起動される非動作中ＡＰに関する必要な情報（例えば、起動される非動作中ＡＰ内のＺｉｇＢｅｅ通信モジュール９０５の、装置識別子、又はＭＡＣアドレスに関する情報）を、制御装置の内部回路を介して、制御装置のＺｉｇＢｅｅ通信モジュール９０３に送信する。制御装置のＺｉｇＢｅｅ通信モジュール９０３によって取得された情報が、起動される非動作中ＡＰ内のＺｉｇＢｅｅ通信モジュール９０５のＭＡＣアドレスを含まず、起動される非動作中ＡＰに関する識別情報を含む場合、制御装置のＺｉｇＢｅｅ通信モジュール９０３は、テーブルを検索して、デスティネーション非動作中ＡＰの識別子に対応する、ＺｉｇＢｅｅ通信モジュール９０５のＭＡＣアドレスを取得する。制御装置のＺｉｇＢｅｅ通信モジュール９０３は、無線リンク９０４を介して、起動指示メッセージを、デスティネーションＡＰのＺｉｇＢｅｅ通信モジュール９０５に、ＺｉｇＢｅｅ信号の形態で送信する。ＡＰのＺｉｇＢｅｅ通信モジュール９０５は、制御装置によって送信されたＺｉｇＢｅｅ信号を受信することに関与する。起動指示メッセージを受信した後、ＡＰのＺｉｇＢｅｅ通信モジュール９０５は、ＡＰのメイン回路の電源を起動するために、パルス又はレベル信号を、ＡＰの起動回路９０６に送信する。
【００７８】
図７に更に示すように、ローカルエリアネットワークスイッチの通信ポート７０１は、上りリンク７０５を介して、ネットワークにアクセスされ、そして、ローカルエリアネットワークスイッチは、その通信ポート７０１を介して、ネットワークからメッセージを受信し、かつ、ネットワークにメッセージを送信する（制御指示を、ネットワーク管理サーバから受信することを含む）。複数の下りリンクネットワークポート７０２が、ローカルエリアネットワークスイッチ内に含まれ、ここで、いくつかは、複数のイーサネット（登録商標）装置を接続するために、外部出力ポート７０３に接続される。別の下りリンクネットワークポート７０２は、内部接続線７０６を介して、制御装置７０４の通信インタフェース７１４に接続され、そして、制御装置７０４の通信インタフェース７１４も、イーサネット（登録商標）インタフェースである。制御装置７０４は、それ自身のＭＡＣアドレス及びＩＰアドレスを有する、独立した装置として働いてもよい。制御装置７０４の制御ポート７２４も、それぞれ、２本の内部線を介して、ローカルエリアネットワークスイッチの外部ポート７０３に接続される。ローカルエリアネットワークスイッチの出力ポート７０３は、カテゴリ５ケーブル７０７によって、外部イーサネット（登録商標）装置に接続される。カテゴリ５ケーブル７０７は、合計で４ペア（８ワイヤ）を有するが、それらの全てが使用されるわけではない。従って、使われていない線のうちの１ペアが、制御装置７０４の制御ポート７２４の外部接続として使用されてもよい。ＡＰ側では、ＡＰのイーサネット（登録商標）インタフェース７１８、及び起動制御回路７２８が、ＡＰのネットワークポート７３８に、ネットワークケーブルを介して同様に接続される。図７に示すローカルエリアネットワークスイッチは、図７には示されていないが、当業者によって理解されるであろう、ＣＰＵ及びメモリなどの、装置及び回路を更に含むということに留意されたい。
【００７９】
この実施形態は、余分な物理装置によって占められる空間を節約するために、制御装置がローカルエリアネットワークスイッチ内に組み込まれ、その一方で、サービストラフィックが比較的小さい場合に、サービストラフィックに従って、同一カバレッジエリア内のＡＰが起動されるよう自動的に制御され、リソースが合理的に利用され、同時に労働コストが削減され、作業効率が向上する、ローカルエリアネットワークスイッチを提供する。
【００８０】
図１０は、本発明による、ＡＰを制御するシステムの一実施形態の概略構成図である。図１０に示すように、本発明の一実施形態は、ＡＰを制御するシステムを提供し、このシステムは、ネットワーク管理サーバ１００１と、１つ以上の動作中ＡＰ１００２と、１つ以上の非動作中ＡＰ１００３とを含む。ネットワーク管理サーバ１００１は、カバレッジエリア内の１つ以上の動作中ＡＰ１００２に関する負荷情報を受信し、負荷情報に従って、カバレッジエリアの現在の総容量を判定し、判定結果に従って、停止指示メッセージ、又は起動指示メッセージを送信するように構成される。現在の容量が容量上限より大きいと判定した場合、ネットワーク管理サーバ１００１は、カバレッジエリア内の１つの非動作中ＡＰ１００３を起動するよう制御し、現在の容量が容量下限より小さいと判定した場合、ネットワーク管理サーバ１００１は、カバレッジエリア内の１つの動作中ＡＰ１００２を停止するよう制御する。１つ以上の動作中ＡＰ１００２は、負荷情報を、ネットワーク管理サーバ１００１に送信し、ネットワーク管理サーバ１００１の制御下で停止されるように構成される。１つ以上の非動作中ＡＰ１００３は、ネットワーク管理サーバ１００１の制御下で起動されるように構成される。
【００８１】
更に、この実施形態によって提供される、ＡＰを制御するシステムは、ネットワーク管理サーバ１００１によって送信された起動指示メッセージを受信し、起動指示メッセージに従って、起動指示メッセージによって指定された非動作中ＡＰ１００３を起動するよう制御するように構成された、制御装置１００４を更に含む。制御装置１００４は、起動信号、リモートウェイクアップフレーム、又はＺｉｇＢｅｅ信号を、起動指示メッセージによって指定された非動作中ＡＰ１００３に送信することによって、非動作中ＡＰ１００３を起動するよう制御する。
【００８２】
この実施形態は、ネットワーク管理サーバ及び制御装置を介して、サービストラフィックに従って、同一カバレッジエリア内のＡＰが起動又は停止されるよう自動的に制御され、リソースが合理的に利用され、同時に労働コストが削減され、作業効率が向上する、ＡＰを制御するシステムを提供する。
【００８３】
図１１は、本発明による、ＡＰを制御するシステムの別の実施形態の概略構成図である。図１１に示すように、この実施形態は、プライマリ動作中ＡＰ１１０１と、１つ以上のセカンダリ動作中ＡＰ１１０２と、１つ以上の非動作中ＡＰ１１０３とを含む、ＡＰを制御する別のシステムを提供する。プライマリ動作中ＡＰ１１０１は、カバレッジエリア内のセカンダリ動作中ＡＰ１１０２に関する第１の負荷情報を受信し、第１の負荷情報と、プライマリ動作中ＡＰ１１０１に関する負荷情報とに従って、カバレッジエリアの現在の総容量を判定するように構成される。現在の総容量が、総容量の上限より大きいと判定した場合、プライマリ動作中ＡＰ１１０１は、カバレッジエリア内の１つの非動作中ＡＰ１１０３を起動するよう制御し、現在の総容量が、総容量の下限より小さいと判定した場合、プライマリ動作中ＡＰ１１０１は、１つのセカンダリ動作中ＡＰ１１０２を停止するよう制御する。セカンダリ動作中ＡＰ１１０２は、負荷情報を、プライマリ動作中ＡＰ１１０１に送信し、プライマリ動作中ＡＰ１１０１の制御下で停止されるように構成される。非動作中ＡＰ１１０３は、プライマリ動作中ＡＰ１１０１の制御下で起動されるように構成される。
【００８４】
更に、プライマリ動作中ＡＰ１１０１は、起動信号、リモートウェイクアップフレーム、又はＺｉｇＢｅｅ信号を、非動作中ＡＰ１１０３に送信することによって、非動作中ＡＰ１１０３を起動するよう制御する。プライマリ動作中ＡＰ１１０１は、ＷｉＦｉプロトコルを介して、停止指示メッセージを、カバレッジエリア内の１つのセカンダリ動作中ＡＰ１１０２に送信し、停止指示メッセージに従って、セカンダリ動作中ＡＰ１１０２を停止するよう制御する。
【００８５】
この実施形態は、プライマリ動作中ＡＰが、カバレッジエリア内のＡＰに関する負荷情報に従って、カバレッジエリア内の他のＡＰを起動又は停止するよう制御する、ＡＰを制御するシステムを提供し、これにより、サービストラフィックに従って、同一カバレッジエリア内のＡＰが起動又は停止されるよう自動的に制御され、リソースが合理的に利用され、同時に労働コストが削減され、作業効率が向上する。
【００８６】
最後に、上記の実施形態は、本発明の技術的解決法を説明するために提供されたにすぎず、本発明を限定することを意図するものではないということに留意されたい。本発明について、実施形態を参照して詳細に説明してきたが、上記の実施形態で説明した技術的解決法に、修正が更に行われてもよく、又は、いくつかの技術的特徴に、均等な置換が更に行われてもよく、それらの修正及び置換は、対応する技術的解決法の本質を、本発明の実施形態における技術的解決法の精神及び範囲から逸脱させるものではない、ということが当業者によって理解されるであろう。
【図１】
0005301032.tif 000002
【図２】
0005301032.tif 000003
【図３】
0005301032.tif 000004
【図４】
0005301032.tif 000005
【図５】
0005301032.tif 000006
【図６】
0005301032.tif 000007
【図７】
0005301032.tif 000008
【図８】
0005301032.tif 000009
【図９】
0005301032.tif 000010
【図１０】
0005301032.tif 000011
【図１１】
0005301032.tif 000012